(57)【特許請求の範囲】
【請求項１】
第１の情報処理装置から入力されたビデオ信号に応じた第１の画面の中に、第２の情報処理装置から入力されたビデオ信号に応じた第２の画面を表示させる表示装置であって、
座標入力機器から入力された座標情報が前記第１及び第２の画面のうちのどちらの画面を指示しているかを判断する判断手段と、
前記第１の情報処理装置から入力されたビデオ信号が変化しても前記第１の画面の表示が変化しない前記第１の画面のフリーズ状態であるかを判定する、又は、前記第２の情報処理装置から入力されたビデオ信号が変化しても前記第２の画面の表示が変化しない前記第２の画面のフリーズ状態であるかを判定する判定手段と、
前記判断手段によって指示されていると判断された前記第１又は第２の画面が前記判定手段によってフリーズ状態であると判定された場合、当該第１又は第２の画面に前記座標情報に応じて描画させるための注釈モードに応じて描画を行うか否かを制御する制御手段と、
前記判断手段によって指示されていると判断された前記第１又は第２の画面が前記判定手段によってフリーズ状態でないと判定された場合、当該第１又は第２の画面に対応する情報処理装置に対して前記座標情報を送信する送信手段と、
を有することを特徴とする表示装置。
【請求項２】
前記制御手段は、前記注釈モードが設定されている場合に、前記判断手段によって指示されていると判断された前記第１又は第２の画面に描画を行うように制御することを特徴とする請求項１記載の表示装置。
【請求項３】
第１の情報処理装置から入力されるビデオ信号に応じた第１の画面の中に、第２の情報処理装置から入力されるビデオ信号に応じた第２の画面を表示させる表示装置の制御方法であって、
座標入力機器から入力された座標情報が前記第１及び第２の画面のうちのどちらの画面を指示しているかを判断する判断工程と、
前記第１の情報処理装置から入力されたビデオ信号が変化しても前記第１の画面の表示が変化しない前記第１の画面のフリーズ状態であるかを判定する、又は、前記第２の情報処理装置から入力されたビデオ信号が変化しても前記第２の画面の表示が変化しない前記第２の画面のフリーズ状態であるかを判定する判定工程と、
前記判断工程において指示されていると判断された前記第１又は第２の画面が前記判定工程においてフリーズ状態であると判定された場合、当該第１又は第２の画面に前記座標情報に応じて描画させるための注釈モードに応じて描画を行うか否かを制御する制御工程と、
前記判断工程において指示されていると判断された前記第１又は第２の画面が前記判定工程においてフリーズ状態でないと判定された場合、当該第１又は第２の画面に対応する情報処理装置に対して前記座標情報を送信する送信工程と、
を有することを特徴とする表示装置の制御方法。
【請求項４】
第１の情報処理装置から入力されるビデオ信号に応じた第１の画面の中に、第２の情報処理装置から入力されるビデオ信号に応じた第２の画面を表示させる表示装置の制御方法をコンピュータに実行させるためのプログラムであって、
座標入力機器から入力された座標情報が前記第１及び第２の画面のうちのどちらの画面を指示しているかを判断する判断手順と、
前記第１の情報処理装置から入力されたビデオ信号が変化しても前記第１の画面の表示が変化しない前記第１の画面のフリーズ状態であるかを判定する、又は、前記第２の情報処理装置から入力されたビデオ信号が変化しても前記第２の画面の表示が変化しない前記第２の画面のフリーズ状態であるかを判定する判定手順と、
前記判断手順において指示されていると判断された前記第１又は第２の画面が前記判定手順においてフリーズ状態であると判定された場合、当該第１又は第２の画面に前記座標情報に応じて描画させるための注釈モードに応じて描画を行うか否かを制御する制御手順と、
前記判断手順において指示されていると判断された前記第１又は第２の画面が前記判定手順においてフリーズ状態でないと判定された場合、当該第１又は第２の画面に対応する情報処理装置に対して前記座標情報を送信する送信手順と、
をコンピュータに実行させることを特徴とするプログラム。
【発明の詳細な説明】
【技術分野】
【０００１】
本発明は、第１の情報処理装置から入力されたビデオ信号に応じた第１の画面の中に、第２の情報処理装置から入力されたビデオ信号に応じた第２の画面を表示させる技術に関するものである。
【背景技術】
【０００２】
情報処理装置からの入力ソースを持つフロントプロジェクタにおいて、情報処理装置で表示画面を切り替える際に、表示中の画面のフレームメモリを保存し、そのフレームメモリの内容を表示することで、入力ソースである情報処理装置の出力画面が変化しても、スクリーンに投射されている画像は変化しない機能があり、この機能は「フリーズ」と呼ばれている。
【０００３】
また、リアプロジェクションディスプレイ或いはＰＤＰなどの表示装置では、表示画面上にデジタイザが付属したものがある。このデジタイザは表示装置に接続されている情報処理装置の座標入力デバイスとして機能し、情報処理装置においてデジタイザからの座標情報により、表示中の画像に対して線、図形、手書き文字等の注釈を書き込む機能を提供する。
【０００４】
また、携帯情報端末を情報処理装置の座標入力手段として使用する方法も提案されている。
【０００５】
更に、複数の情報処理装置をデジタイザ付属の表示装置に接続し、第一の情報処理装置からの画面情報を全画面に表示し、他の情報処理装置の画面を子画面に取り込み、その子画面を通じて情報処理装置を制御する際に座標入力装置を共用する方法が提案されている（例えば、特許文献１参照。）。
【特許文献１】特開２００２−９１６５４号公報
【発明の開示】
【発明が解決しようとする課題】
【０００６】
しかしながら、上記従来例のデジタイザ付属の表示装置では、フリーズ中に表示装置に付属のデジタイザを操作すると情報処理装置において座標入力デバイスとして入力されてしまい、予想外の動作をしてしまうという欠点があった。
【０００７】
また、デジタイザ付属の表示装置においてフリーズ中の画像に対して図形、文字、軌跡等の注釈を書き込むことはできなかった。
【０００８】
本発明は、デジタイザ付属の表示装置がフリーズ中にデジタイザを使用して図形、文字、軌跡等の注釈を描画できる手段を実現することを目的とする。
【０００９】
また、デジタイザ付属の表示装置がフリーズ中に携帯情報端末を座標入力装置として、表示装置に接続された情報処理装置を経由して図形、文字、軌跡等の注釈を描画することを目的とする。
【００１０】
更に、描画された注釈を情報処理装置に送信することでフリーズ中にデジタイザで表示装置の画面上に描画された図形、文字、軌跡等の注釈をデータとして再利用できることを目的とする。
【課題を解決するための手段】
【００１１】
本発明は、第１の情報処理装置から入力されたビデオ信号に応じた第１の画面の中に、第２の情報処理装置から入力されたビデオ信号に応じた第２の画面を表示させる表示装置であって、座標入力機器から入力された座標情報が前記第１及び第２の画面のうちのどちらの画面を指示しているかを判断する判断手段と、前記第１の情報処理装置から入力されたビデオ信号が変化しても前記第１の画面の表示が変化しない前記第１の画面のフリーズ状態であるかを判定する、又は、前記第２の情報処理装置から入力されたビデオ信号が変化しても前記第２の画面の表示が変化しない前記第２の画面のフリーズ状態であるかを判定する判定手段と、前記判断手段によって指示されていると判断された前記第１又は第２の画面が前記判定手段によってフリーズ状態であると判定された場合、当該第１又は第２の画面に前記座標情報に応じて描画させるための注釈モードに応じて描画を行うか否かを制御する制御手段と、前記判断手段によって指示されていると判断された前記第１又は第２の画面が前記判定手段によってフリーズ状態でないと判定された場合、当該第１又は第２の画面に対応する情報処理装置に対して前記座標情報を送信する送信手段と、を有することを特徴とする。
【００１２】
また本発明は、第１の情報処理装置から入力されるビデオ信号に応じた第１の画面の中に、第２の情報処理装置から入力されるビデオ信号に応じた第２の画面を表示させる表示装置の制御方法であって、座標入力機器から入力された座標情報が前記第１及び第２の画面のうちのどちらの画面を指示しているかを判断する判断工程と、前記第１の情報処理装置から入力されたビデオ信号が変化しても前記第１の画面の表示が変化しない前記第１の画面のフリーズ状態であるかを判定する、又は、前記第２の情報処理装置から入力されたビデオ信号が変化しても前記第２の画面の表示が変化しない前記第２の画面のフリーズ状態であるかを判定する判定工程と、前記判断工程において指示されていると判断された前記第１又は第２の画面が前記判定工程においてフリーズ状態であると判定された場合、当該第１又は第２の画面に前記座標情報に応じて描画させるための注釈モードに応じて描画を行うか否かを制御する制御工程と、前記判断工程において指示されていると判断された前記第１又は第２の画面が前記判定工程においてフリーズ状態でないと判定された場合、当該第１又は第２の画面に対応する情報処理装置に対して前記座標情報を送信する送信工程と、を有することを特徴とする。
【発明の効果】
【００１３】
本発明によれば、第１の情報処理装置の画面の中に、第２の情報処理装置の画面を表示させる表示装置において、座標入力機器によって指示されている表示画面がフリーズ状態の場合、指示された表示画面に、座標情報に応じて描画させることができる。
【発明を実施するための最良の形態】
【００１５】
以下、図面を参照しながら発明を実施するための最良の形態について詳細に説明する。尚、本実施の形態では、本発明に係る表示装置としてリアプロジェクションディスプレイを例に説明する。
【実施例１】
【００１６】
図１は、実施例１における表示装置の構成を示すブロック図である。図１において、１はリアプロジェクションディスプレイである。２はリアプロジェクションディスプレイ１内のデバイスが接続されるシステムバスである。３は全体を制御するＣＰＵであり、各種処理を実行する。
【００１７】
４はＲＯＭであり、ＣＰＵ３が実行するプログラム等を記憶する。５はＲＡＭであり、ＣＰＵ３が処理を実行時に使用するワークエリアや各種テーブルなどが定義されている。６はリモートコントロール（以下「リモコン」）インタフェースであり、リアプロジェクションディスプレイ１のリモコンと通信するためのインタフェースである。７、８はそれぞれ情報処理装置などと通信を行うためのシリアル通信インタフェースＡ、シリアル通信インタフェースＢである。
【００１８】
１０は描画信号処理部であり、ＲＧＢ信号インタフェースから入力されたＲＧＢ信号を描画信号に変換する回路である。１１は液晶パネルであり、プロジェクタに投影する画像を表示する部分である。反射型の場合、液晶パネル１１に光を当てて液晶パネル１１上に表示された画像を反射し、光学系を経てプロジェクタースクリーンに投影する。透過型の場合は、液晶パネル１１の後ろから光を当て液晶パネル１１上に表示された画像を、光学系を経てプロジェクタースクリーンに投影する。ここでは、光学系の構成については省略する。
【００１９】
１２は座標入力手段であるデジタイザへのインタフェースである。１３、１４はそれぞれＲＧＢ信号インタフェースＡ、ＲＧＢ信号インタフェースＢであり、情報処理装置などのビデオ出力信号のインタフェースである。ＲＧＢ信号インタフェース１３、１４は信号処理部１０に接続されており、ＲＧＢビデオ信号による映像を液晶パネル１１に表示することで画像がプロジェクタに投影される。１６はリアプロジェクションディスプレイ１の操作パネルである。
【００２０】
図１に示す構成において、実施例１では、１台の情報処理装置の画面をリアプロジェクションディスプレイ１に投影する場合について説明する。尚、１台の情報処理装置の画面をリアプロジェクションディスプレイ１に投影するには、情報処理装置のＲＧＢ出力信号をプロジェクタのＲＧＢ信号インタフェース１３に入力する。
【００２１】
初期状態において、リアプロジェクションディスプレイ１は情報処理装置の画面を投影し、デジタイザインタフェース１２からの座標情報等を、シリアル通信インタフェース７を介して情報処理装置に転送する。
【００２２】
図２は、実施例１におけるデジタイザの操作に関するファームウェアのフローチャートである。実施例１では、リアプロジェクションディスプレイ１の状態により、デジタイザがマウス等の座標入力装置をエミュレートすることで座標情報とボタン情報を情報処理装置に送信する場合と、表示装置であるリアプロジェクションディスプレイ１内でデジタイザによる注釈描画を行う場合について説明する。
【００２３】
まず、ステップＳ１において、デジタイザインタフェース１２を介して座標入力装置として機能するデジタイザの初期化処理を行う。この初期化処理は、電源が投入されたとき、リセットボタンが押されたときなどに実行される。次に、ステップＳ２において、リアプロジェクションディスプレイ１がフリーズ状態にあるか否かを判定する。ここで、情報処理装置の画面表示がフリーズ状態でない場合はステップＳ３へ進み、シリアル通信インタフェース７を介して座標情報等を情報処理装置へ送信し、ステップＳ２に戻る。上述のフリーズ状態となる条件については、特に限定しない。
【００２４】
また、ステップＳ２において、情報処理装置の画面表示がフリーズ状態であった場合はステップＳ４へ進み、リアプロジェクションディスプレイ１が注釈モードであるか否かを判定する。ここで、注釈モードでない場合はステップＳ２に戻る。尚、注釈モードへの設定については限定しない。
【００２５】
また、ステップＳ４において、リアプロジェクションディスプレイ１が注釈モードであった場合はステップＳ５へ進み、オンスクリーンディスプレイ（ＯＳＤ）機能により、デジタイザによって描画された図形、文字、軌跡等の注釈をフリーズ画面上に表示し、ステップＳ２のフリーズ状態の判定に戻る。尚、フリーズ中に描画された注釈はリアプロジェクションディスプレイ１上のＲＡＭ５に保存され、フリーズ解除時、若しくは、フリーズ中に情報処理装置に送信される。その際に、フリーズ画面そのものを情報処理装置に送信しても良い。
【００２６】
このように、実施例１のリアプロジェクションディスプレイ１では、フリーズ中のリアプロジェクションディスプレイ１の表示画面上に、リアプロジェクションディスプレイ１に付属のデジタイザによる図形、文字、軌跡等の注釈の描画を表示することができる。また、フリーズ中に描画された注釈を情報処理装置に送信することができる。更に必要であればフリーズされた画面の情報を情報処理装置に送信することができる。
【実施例２】
【００２７】
次に、図面を参照しながら本発明に係る実施例２について詳細に説明する。尚、実施例２では、２台の情報処理装置のそれぞれの画面をリアプロジェクションディスプレイ１に投影する場合について説明する。
【００２８】
尚、２台の情報処理装置の画面をリアプロジェクションディスプレイ１に投影するには、２台の情報処理装置のＲＧＢ出力信号をそれぞれＲＧＢ信号インタフェース１３、１４に入力する。また、ＲＧＢ信号インタフェース１３に接続される情報処理装置を情報処理装置Ａとし、ＲＧＢ信号インタフェース１４に接続される情報処理装置を情報処理装置Ｂとする。
【００２９】
初期状態において、リアプロジェクションディスプレイ１は情報処理装置Ａの画面を投影し、デジタイザインタフェース１２からの座標情報等を、シリアル通信インタフェース７を介して情報処理装置Ａに転送する。
【００３０】
操作パネル１６又はリモコンインタフェース６によりＲＧＢ信号入力を情報処理装置Ａから情報処理装置Ｂへと切り替えると、ＲＯＭ４に格納されたプログラムに従ってＣＰＵ３がＲＧＢ信号入力をＲＧＢ信号インタフェース１３からＲＧＢ信号インタフェース１４に、デジタイザインタフェース１２からの座標情報等をシリアル通信インタフェース７からシリアル通信インタフェース８に切り替え、シリアル通信インタフェース８を介して情報処理装置Ｂに転送する。
【００３１】
また、操作パネル１６又はリモコンインタフェース６によりＲＧＢ信号入力を情報処理装置Ｂから情報処理装置Ａへと切り替えると、ＲＯＭ４に格納されたプログラムに従ってＣＰＵ３がＲＧＢ信号入力をＲＧＢ信号インタフェース１４からＲＧＢ信号インタフェース１３に、デジタイザインタフェース１２からの座標情報等をシリアル通信インタフェース８からシリアル通信インタフェース７に切り替え、シリアル通信インタフェース７を介して情報処理装置Ａに転送する。
【００３２】
尚、情報処理装置が３台の場合も同様に、操作パネル１６又はリモコンインタフェース６によりＲＧＢ信号入力を情報処理装置Ａから情報処理装置Ｂ又はＣへ、情報処理装置Ｂから情報処理装置Ａ又はＣへ、情報処理装置Ｃから情報処理装置Ａ又はＢへ、と切り替え、ＲＯＭ４に格納されたプログラムに従ってＣＰＵ３がＲＧＢ信号入力とデジタイザインタフェース１２からの座標情報等の出力先のシリアル通信インタフェースを切り替え、シリアル通信インタフェースを介してそれぞれの情報処理装置に転送する。
【００３３】
また、情報処理装置Ａ、Ｂの画面を切り替えて表示しているが、例えば情報処理装置Ａの画面の中に情報処理装置Ｂの画面を子画面として同時に投影しても良い。
【００３４】
図３は、実施例２における２つの画面を投影した様子を示す図である。図３に示す例では、情報処理装置Ａの画面を投影しているリアプロジェクションディスプレイ１の画面の中に子画面を設け、その子画面に情報処理装置Ｂの画面を投影している様子を表している。尚、情報処理装置Ｂの画面を子画面へ投影する方法については周知の方法で良く、特に限定しない。
【００３５】
図４は、実施例２におけるデジタイザの操作に関するファームウェアのフローチャートである。実施例２では、リアプロジェクションディスプレイ１の状態により、デジタイザがマウス等の座標入力装置をエミュレートすることで座標情報とボタン情報を情報処理装置に送信する場合と、表示装置であるリアプロジェクションディスプレイ１内でデジタイザによる注釈描画を行う場合について説明する。
【００３６】
まず、ステップＳ１１において、デジタイザインタフェース１２を介してデジタイザの初期化処理を行う。この初期化処理は、電源が投入されたとき、リセットボタンが押されたときなどに実行される。次に、ステップＳ１２において、デジタイザの指示する座標が、二つの表示領域のどちらかを判定し、デジタイザの座標が情報処理装置Ｂの表示領域にある場合はステップＳ１３へ進み、リアプロジェクションディスプレイ１がフリーズ状態にあるか否かを判定する。ここで、情報処理装置Ｂの画面表示がフリーズ状態でない場合はステップＳ１４へ進み、情報処理装置Ｂにシリアル通信インタフェース８を介して座標情報等を送信し、ステップＳ１２に戻る。尚、フリーズ状態になる条件については、特に限定しない。
【００３７】
また、ステップＳ１３において、情報処理装置Ｂの画面表示がフリーズ状態であった場合はステップＳ１５へ進み、リアプロジェクションディスプレイ１が注釈モードであるか否かを判定する。ここで、注釈モードでない場合はステップＳ２に戻る。尚、注釈モードへの設定については限定しない。
【００３８】
また、ステップＳ１５において、リアプロジェクションディスプレイ１が注釈モードであった場合はステップＳ１６へ進み、オンスクリーンディスプレイ（ＯＳＤ）機能により、デジタイザによって描画された図形、文字、軌跡等の注釈をリアプロジェクションディスプレイ１のフリーズ画面上に表示し、ステップＳ１２の座標領域判定に戻る。
【００３９】
一方、上述のステップＳ１２において、デジタイザの指示する座標が情報処理装置Ｂの表示領域にない、即ち、情報処理装置Ａの表示領域にある場合はステップＳ１７へ進み、リアプロジェクションディスプレイ１がフリーズ状態にあるか否かを判定する。ここで、情報処理装置Ａの画面表示がフリーズ状態でない場合はステップＳ１８へ進み、情報処理装置Ａにシリアル通信インタフェース７を介して座標情報等を送信し、ステップＳ１２に戻る。尚、フリーズ状態となる条件については、特に限定しない。
【００４０】
また、ステップＳ１７において、情報処理装置Ａの画面表示がフリーズ状態であった場合はステップＳ１９へ進み、リアプロジェクションディスプレイ１が注釈モードであるか否かを判定する。ここで、注釈モードでない場合はステップＳ２に戻る。尚、注釈モードへの設定については限定しない。
【００４１】
また、ステップＳ１９において、リアプロジェクションディスプレイ１が注釈モードであった場合はステップＳ２０へ進み、オンスクリーンディスプレイ（ＯＳＤ）機能により、デジタイザによって描画された図形、文字、軌跡等の注釈をリアプロジェクションディスプレイ１のフリーズ画面上に表示し、ステップＳ１２の座標領域判定に戻る。
【００４２】
尚、フリーズ中に描画された注釈はリアプロジェクションディスプレイ１上のＲＡＭ５に保存され、フリーズ解除時、若しくは、フリーズ中に表示をフリーズしていた情報処理装置に送信される。その際に、フリーズ画面そのものを情報処理装置に送信しても良い。
【００４３】
このように、実施例２のリアプロジェクションディスプレイ１では、情報処理装置Ａの表示領域の子画面として情報処理装置Ｂの画面を表示する際に、フリーズ中の情報処理装置Ａ又は情報処理装置Ｂに対応するリアプロジェクションディスプレイ１の表示画面上に、リアプロジェクションディスプレイ１に付属のデジタイザによる図形、文字、軌跡等の注釈の描画を表示することができる。また、フリーズ中に描画された図形、文字、軌跡等の注釈をフリーズされていた情報処理装置に送信することができる。更に必要であれば、フリーズされた画面の情報を情報処理装置に送信することができる。
【実施例３】
【００４４】
次に、図面を参照しながら本発明に係る実施例３について詳細に説明する。尚、実施例３では、リアプロジェクションディスプレイと情報処理装置及び携帯情報端末を接続し、フリーズ中の情報処理装置の表示画面上に、携帯情報端末に付属のタブレットによる図形、文字、軌跡等の注釈の描画を表示するものである。
【００４５】
尚、携帯情報端末は、例えば携帯電話、ＰＤＡ（Personal Digital Assistants）、サブノートＰＣ等のモバイル機器である。
【００４６】
図５は、実施例３におけるリアプロジェクションディスプレイと情報処理装置及び携帯情報端末との接続状況を示す図である。図５において、１はリアプロジェクションディスプレイである。２１はリアプロジェクションディスプレイ１に接続された情報処理装置であり、２２は情報処理装置２１から出力され、リアプロジェクションディスプレイ１に入力されるＲＧＢ信号である。２３はリアプロジェクションディスプレイ１のデジタイザの座標情報等を情報処理装置２１に転送するためのシリアル通信線であり、座標情報以外の情報を双方に通信するためにも使用される。２４は携帯情報端末であり、無線或いは有線により情報処理装置２１に接続されており、携帯情報端末２４のタブレットから入力された座標情報等が情報処理装置２１に転送される。その他の構成は、前述した実施例と同様である。
【００４７】
実施例３では、リアプロジェクションディスプレイがフリーズ中の図形、文字、軌跡等の注釈を携帯情報端末から描画する場合について説明する。リアプロジェクションディスプレイ１がフリーズ状態になるとシリアル通信２３を介して情報処理装置２１はリアプロジェクションディスプレイ１がフリーズ中であることを知らされる。情報処理装置２１はフリーズ中に携帯情報端末２４から送信される座標情報等のデータを、シリアル通信２３を介してリアプロジェクションディスプレイ１に転送する。
【００４８】
フリーズ中に描画された注釈はリアプロジェクションディスプレイ上のＲＡＭ５に保存され、フリーズ解除時、若しくは、フリーズ中に情報処理装置２１に送信される。その際に、フリーズ画面そのものを情報処理装置２１に送信しても良い。
【００４９】
このように、実施例３によれば、フリーズ中のリアプロジェクションディスプレイ１の表示画面上に、携帯情報端末に付属のタブレットによる図形、文字、軌跡等の注釈の描画を表示することができる。また、フリーズ中に描画された注釈を情報処理装置に送信することができる。更に必要であればフリーズされた画面の情報を情報処理装置に送信することができる。
【００５０】
尚、以上説明した実施例では一つ及び二つの情報処理装置を接続した場合について説明したが、三つ以上の情報処理装置が接続されても良い。
【００５１】
また、座標入力装置としてデジタイザを使用しているが、リモコンに付属したポインタ等の他の座標入力装置であっても構わない。更に座標入力装置はシリアル通信を使用して情報処理装置と接続しているが、それ以外の構成であっても構わない。
【００５２】
更に、表示デバイスとして液晶パネルを使用しているが、他の表示デバイスであっても構わない。
【００５３】
また、プログラムを表示装置内のＲＯＭに格納しているが、システム或いは装置にプログラムを供給する場合にも適用できることは言うまでもない。この場合、本発明を達成するためのソフトウェアによって表されるプログラムを記録した記録媒体をシステム或いは装置に読み出すことにより、そのシステム或いは装置が本発明の効果を享受することが可能となる。
【００５４】
本実施の形態では、記録媒体としてＲＯＭが用いられているが、記録媒体としては、この他に、例えばハードディスク、フロッピー（登録商標）ディスク、光ディスク、光磁気ディスク、ＣＤ−ＲＯＭ、ＣＤ−Ｒ、ＤＶＤ、磁気テープ、不揮発性のメモリカードなどを用いることができる。
【図面の簡単な説明】
【００５５】
【図１】本実施例における表示装置の構成を示すブロック図である。
【図２】実施例１におけるデジタイザの操作に関するファームウェアのフローチャートである。
【図３】実施例２における２つの画面を投影した様子を示す図である。
【図４】実施例２におけるデジタイザの操作に関するファームウェアのフローチャートである。
【図５】実施例３におけるリアプロジェクションディスプレイと情報処理装置及び携帯情報端末との接続状況を示す図である。
【符号の説明】
【００５６】
１  表示装置
２  システムバス
３  ＣＰＵ
４  ＲＯＭ
５  ＲＡＭ
６  リモコンインタフェース
７  シリアル通信インタフェースＡ
８  シリアル通信インタフェースＢ
１０  信号処理部
１１  液晶パネル
１２  デジタイザインタフェース
１３  ＲＧＢ信号インタフェースＡ
１４  ＲＧＢ信号インタフェースＢ
１６  操作パネル
２１  情報処理装置
２２  ＲＧＢケーブル
２３  シリアル通信ケーブル
２４  携帯情報端末
【図１】
0004147168.tif 000002
【図２】
0004147168.tif 000003
【図３】
0004147168.tif 000004
【図４】
0004147168.tif 000005
【図５】
0004147168.tif 000006